(57)【要約】      （修正有）【課題】人工呼吸器または持続性気道陽圧装置用の流れ発生器の入口における流れ調整を可能にする制御装置を提供する。【解決手段】呼吸可能ガス入口制御装置１０２は、流れの状態に基づいて入口開口の大きさを変化させる。シール１１４の近くのシール作動チャンバ１１６内の圧力変化に従って、入口流れシールが、送風機１０４に繋がる入口１１２を開閉するようになっている。このシールは、柔軟薄膜により形成されているとよい。制御装置は、１つまたは複数の流れ制御弁１１８の組を制御することによって、シール作動チャンバの圧力を選択的に変化させ、これによって、選択的に前方流れを停止し、逆流を阻止し、または逆流または前方流のいずれかを可能にするためにシールを開状態にロックすることができる。この制御装置は、圧力センサーおよび／または流れセンサーからのデータに基づいて検出された呼吸状態に応じて、流れ制御弁を設定してもよい。【選択図】図１
2019130322.tif 000002
【特許請求の範囲】
【請求項１】
呼吸可能ガスの流れを患者にもたらすべく構成された呼吸治療装置において、
閉状態と完全開状態との間で調整可能な可変開口部を有するガス入口と、
ガス出口と、
加圧された呼吸可能ガスの前記ガス入口から前記ガス出口への供給をもたらす流れ発生
器と、
前記流れ発生器によって生じる圧力のレベルを制御する制御装置と
を備えており、
前記可変開口部は、前記ガス出口に隣接する箇所にもたらされる呼吸可能ガスの流れの
レベルに応じて、開口の大きさを変化させるようになっていることを特徴とする呼吸治療
装置。
【請求項２】
前記可変開口部は、柔軟シールを備えていることを特徴とする請求項１に記載の装置。
【請求項３】
前記可変開口部は、流れ値のある範囲にわたって比例的に開くよう構成されており、  
前記流れの範囲は、第１の流れ値と第２の流れ値との間にあることを特徴とする請求項２
に記載の装置。
【請求項４】
前記第１の流れ値は、毎分略０リットルであり、前記第２の流れ値は、毎分略７０リッ
トルであることを特徴とする請求項３に記載の装置。
【請求項５】
前記可変開口部は、前記流れの範囲を超える流れ値に対して、開口の大きさが固定され
るよう構成されていることを特徴とする請求項３に記載の装置。
【請求項６】
前記可変開口部は、前記流れの範囲の前記第１の流れ値で閉じるよう構成されているこ
とを特徴とする請求項５に記載の装置。
【請求項７】
前記可変開口部は、シール作動チャンバをさらに備えていることを特徴とする請求項２
に記載の装置。
【請求項８】
前記シール作動チャンバの圧力は、少なくとも１つの電気機械弁の制御によって設定さ
れるようになっていることを特徴とする請求項７に記載の装置。
【請求項９】
前記制御装置は、呼吸可能ガスの流れのレベルの測定に応じて、前記少なくとも１つの
電気機械弁を設定するよう構成されていることを特徴とする請求項８に記載の装置。
【請求項１０】
前記開口部は電気機械弁を備えていることを特徴とする請求項１に記載の装置。
【請求項１１】
前記制御装置は、呼吸可能ガスの流れのレベルの測定に応じて、前記電気機械弁の開口
の大きさを設定するよう構成されていることを特徴とする請求項１０に記載の装置。
【請求項１２】
連続的な呼吸サイクルにおいて加圧された呼吸可能ガスの供給を患者にもたらすべく構
成された呼吸治療装置であって、各サイクルは吸気相および呼気相を含んでいる呼吸治療
装置において、
ガス入口と、
ガス出口と、
前記ガス入口からの呼吸可能ガスの入口流れを受け、前記ガス出口に送達する前に前記
呼吸可能ガスを加圧する流れ発生器と、
吸気圧および呼気圧をもたらすために、前記流れ発生器によって生じた圧力のレベルを
制御する制御装置と
を備えており、
前記吸気圧から前記呼気圧への圧力の低下を容易にするために、前記呼気相の少なくと
も一部において、前記流れ発生器への前記入口流れが遮断されるようになっていることを
特徴とする呼吸治療装置。
【請求項１３】
前記入口流れの遮断によって、前記流れ発生器の送風機が無負荷となることを特徴とす
る請求項１２に記載の装置。
【請求項１４】
前記制御装置は、１つまたは複数の電気機械弁を設定することによって、前記入口流れ
を遮断するように構成されていることを特徴とする請求項１２に記載の装置。
【請求項１５】
前記入口の流路内の柔軟シールと、前記柔軟シールに近接するシール作動チャンバをさ
らに備え、前記電気機械弁の前記設定によって、前記シール作動チャンバの圧力レベルが
制御されるようになっていることを特徴とする請求項１４に記載の装置。
【請求項１６】
呼吸治療装置用流れ発生器であって、
モータと、
前記モータに連結されたインペラと、
ボリュート、ガス入口、およびガス出口を備える前記インペラ用ハウジングであって、
前記ガス出口は、呼吸可能ガスを呼吸治療として送達するために、患者インターフェイス
の導管となっているハウジングと、
前記ガス入口を選択的に開閉するために配置された入口流れシールであって、前記ガス
入口の入口チャンバに内側から近接する第１の側と、前記ガス入口の前記入口チャンバに
外側から近接する第２の側とを有している入口流れシールと、
前記入口流れシールの前記第２の側に近接して構成されたシール作動チャンバであって
、前記シール作動チャンバ内の負圧により前記ガス入口を呼吸可能ガスの流れに対して開
放することができるシール作動チャンバと
を備えていることを特徴とする流れ発生器。
【請求項１７】
前記ハウジングは、
第１および第２のポートと、
前記入口チャンバと前記シール作動チャンバを圧力伝達するように接続する圧力伝達導
管とをさらに備えており、
これによって、前記入口チャンバ内の圧力変化が、前記シール作動チャンバ内の圧力を
変化させるようになっていることを特徴とする請求項１６に記載の流れ発生器。
【請求項１８】
前記圧力伝達導管に連結された第１の流れ制御弁をさらに備えており、前記第１の流れ
制御弁は、前記シール作動チャンバを大気圧に対して選択的に開閉するように構成されて
いることを特徴とする請求項１７に記載の流れ発生器。
【請求項１９】
前記圧力変化は、前記ガス入口から前記ガス出口に向かう、患者によって誘引された呼
吸可能ガスに関連する減圧である、ことを特徴とする請求項１８に記載の流れ発生器。
【請求項２０】
前記第１の流れ制御弁が前記シール作動チャンバを大気圧に対して開放するように設定
されたとき、前記シール作動チャンバ内の減圧は中断されるようになっており、前記減圧
の中断によって、前記ガス入口の呼吸可能ガスの流れに対する閉鎖が可能になることを特
徴とする請求項１９に記載の流れ発生器。
【請求項２１】
前記第１の流れ制御弁が前記シール作動チャンバと前記ガス入口チャンバとの間の均等
化を可能にするように設定されたとき、前記ガス出口から前記ガス入口への逆流は、前記
入口チャンバ内および前記シール作動チャンバ内の圧力を増大させ、前記増圧によって、
前記ガス入口の閉鎖が可能になり、これによって、前記逆流が停止されるようになってい
ることを特徴とする請求項１８に記載の流れ発生器。
【請求項２２】
前記入口流れシールは柔軟薄膜を備えることを特徴とする請求項１８に記載の流れ発生
器。
【請求項２３】
前記ガス入口は、前記入口流れシールによって封止可能な開口部を備えており、前記入
口流れシールの表面積は、前記開口部の開口面積よりも大きくなっていることを特徴とす
る請求項２２に記載の流れ発生器。
【請求項２４】
前記第１の流れ制御弁に連結された第２の流れ制御弁をさらに備えており、前記第２の
流れ制御弁は、前記ガス入口を前記ガス出口の圧力に対して選択的に開閉するように構成
されていることを特徴とする請求項１８に記載の流れ発生器。
【請求項２５】
前記第１および第２の流れ制御弁は、前記シール作動チャンバが前記ガス入口チャンバ
の圧力と周囲圧との均等化を中断するべく、前記シール作動チャンバ内の圧力レベルを選
択的に封止するように構成されていることを特徴とする請求項２４に記載の流れ発生器。
【請求項２６】
前記第２の流れ制御弁は、前記ガス入口の周囲圧と均等化するために前記第１の流れ制
御弁を選択的に開閉するように構成されており、前記第１の流れ制御弁は、前記シール作
動チャンバを前記第１の流れ制御弁に対して選択的に開閉するように構成されていること
を特徴とする請求項２５に記載の流れ発生器。
【請求項２７】
吸気流れが前記ガス入口を開くことを可能にするべく、前記シール作動チャンバの圧力
と前記ガス入口チャンバの圧力との均等化を可能にするために、吸気の状態の検出に応じ
て前記第１の流れ制御弁を設定するように構成された制御装置をさらに備えていることを
特徴とする請求項２５に記載の流れ発生器。
【請求項２８】
前記制御装置は、前記ガス入口を呼吸可能ガスの流れに対して閉鎖するために前記シー
ル作動チャンバ内の減圧を中断するように、呼気の状態の検出に応じて前記第１の流れ制
御弁を設定するように構成されていることを特徴とする請求項２７に記載の流れ発生器。
【請求項２９】
呼吸可能ガスの逆流を可能にするべく、前記シール作動チャンバ内の圧力を封止し、前
記ガス入口の開状態をロックするために、吸気の状態の検出に応じて前記第１の流れ制御
弁および前記第２の流れ制御弁を設定するように構成された制御装置をさらに備えている
、ことを特徴とする請求項２８に記載の流れ発生器。
【請求項３０】
前記入口への酸素ガスの注入を可能にするために、前記入口に連結された酸素入口ポー
トをさらに備えていることを特徴とする請求項１８に記載の流れ発生器。
【請求項３１】
呼吸可能ガスの流れへの酸素ガスの注入を可能にするために、前記ガス出口に連結され
た酸素投入ポートをさらに備えていることを特徴とする請求項１６に記載の流れ発生器。
【請求項３２】
圧力治療措置用の大気圧を超える圧力の呼吸可能ガスを生成する流れ発生器であって、
前記流れ発生器は、ガス入口およびガス出口を備えており、前記ガス出口は、前記呼吸可
能ガスを送達するために患者インターフェイスの導管である流れ発生器と、
圧力治療措置に従って前記呼吸可能ガスを生成するために前記流れ発生器を制御する制
御装置と、
前記ガス入口を選択的に開閉するために配置された入口流れシールであって、前記ガス
入口の入口チャンバに内側から近接する第１の側、および前記ガス入口の前記入口チャン
バに外側から近接する第２の側を有している入口流れシールと、
前記入口流れシールの前記第２の側に近接するシール作動チャンバであって、前記シー
ル作動チャンバ内の負圧が、呼吸可能ガスの流れに対する前記ガス入口の開口を可能にす
るようになっているシール作動チャンバと
を備えていることを特徴とする呼吸治療装置。
【請求項３３】
前記入口チャンバおよび前記シール作動チャンバを圧力伝達するように接続する圧力伝
達導管をさらに備えており、これによって、前記入口チャンバ内の圧力変化が、前記シー
ル作動チャンバ内の圧力を変化させるようになっていることを特徴とする請求項３２に記
載の流れ発生器。
【請求項３４】
前記圧力伝達導管に連結されていると共に、前記制御装置の制御によって前記シール作
動チャンバを大気圧に対して選択的に開閉するように構成されている第１の流れ制御弁を
さらに備えていることを特徴とする請求項３３に記載の装置。
【請求項３５】
前記流れ発生器は、モータ、ボリュート、および前記ガス入口と前記ガス出口との間に
構成されたインペラを備えていることを特徴とする請求項３４に記載の装置。
【請求項３６】
前記第１の流れ制御弁が前記シール作動チャンバを大気圧に対して開放するように設定
されたとき、前記シール作動チャンバ内の負圧が中断されるようになっており、前記中断
された負圧は、呼吸可能ガスの流れに対する前記ガス入口の閉鎖を可能にするようになっ
ていることを特徴とする請求項３５に記載の装置。
【請求項３７】
前記第１の流れ制御弁が前記シール作動チャンバと前記ガス入口チャンバとの間の均等
化を可能にするように設定されたとき、前記ガス出口から前記ガス入口への逆流は、前記
入口チャンバ内および前記シール作動チャンバ内の圧力を増大させ、前記増圧により前記
ガス入口の閉鎖が可能になり、これによって前記逆流が停止されるようになっていること
を特徴とする請求項３３に記載の装置。
【請求項３８】
前記入口流れシールは柔軟な薄膜を備えていることを特徴とする請求項３６に記載の装
置。
【請求項３９】
前記ガス入口は、前記入口流れシールによって封止可能な開口部を備えており、前記入
口流れシールの表面積は、前記開口部の開口面積よりも大きくなっていることを特徴とす
る請求項３８に記載の装置。
【請求項４０】
前記第１の流れ制御弁に連結されていると共に、前記ガス入口を前記ガス出口の圧力に
対して選択的に開閉するように構成されている第２の流れ制御弁をさらに備えていること
を特徴とする請求項３４に記載の装置。
【請求項４１】
前記第１および第２の制御弁は、前記シール作動チャンバが前記ガス入口チャンバの圧
力と周囲圧との均等化を中断するべく前記シール作動チャンバ内の圧力レベルを選択的に
封止するように構成されており、前記封止された圧力レベルによって、前記入口流れシー
ルが開位置にロックされるようになっていることを特徴とする請求項４０に記載の装置。
【請求項４２】
前記第２の流れ制御弁は、前記ガス入口の周囲圧と均等化するように前記第１の流れ制
御弁を選択的に開閉するように構成されており、前記第１の制御弁は、前記シール作動チ
ャンバを前記第１の流れ制御弁に対して選択的に開閉するように構成されていることを特
徴とする請求項４１に記載の装置。
【請求項４３】
前記制御装置は、前記ガス入口を呼吸可能なガスの流れに開放するために前記シール作
動チャンバ内の減圧を可能にするべく、吸気の状態の検出に応じて前記第１の流れ制御弁
を設定するように、さらに構成されていることを特徴とする請求項３４に記載の装置。
【請求項４４】
前記制御装置は、前記ガス入口を呼吸可能ガスの流れに対して閉鎖するために前記シー
ル作動チャンバ内の減圧を中断するべく、呼気の状態の検出に応じて前記第１の流れ制御
弁を設定するように構成されていることを特徴とする請求項４３に記載の装置。
【請求項４５】
前記入口内への酸素の注入を可能にするために、前記入口に連結された酸素投入ポート
をさらに備えていることを特徴とする請求項３２に記載の装置。
【請求項４６】
呼吸可能ガスの流れ内への酸素ガスの注入を可能にするために、前記ガス出口に連結さ
れた酸素投入ポートをさらに備えていることを特徴とする請求項３２に記載の装置。
【請求項４７】
呼吸治療装置内の流れ発生器への流れを調整するためのシステムであって、
流れ発生器に繋がるガス入口であって、該流れ発生器を通って、呼吸可能ガスの流れが
吸入されるようになっているガス入口と、
前記ガス入口における前記流れをシールする手段であって、前記ガス入口の入口チャン
バに内側から近接する第１の側および前記ガス入口の前記入口チャンバに外側から近接す
る第２の側を備えている流れをシールする手段と、
前記シール手段の前記第２の側に近接するチャンバ手段であって、前記チャンバ手段内
の負圧によって、前記シール手段における前記ガス入口の開口が可能になっているチャン
バ手段と、
前記ガス入口内の圧力変化に従って前記チャンバ手段に対する圧力を変化させるための
手段と、
前記ガス入口内の圧力変化を可能にすると共に、前記チャンバ手段内の圧力変化を選択
的に中断させるための手段と、
を備えている、ことを特徴とするシステム。
【請求項４８】
前記ガス入口内への酸素ガスの注入を可能にするために、前記入口に連結された酸素投
入ポートをさらに備えていることを特徴とする請求項４７に記載のシステム。
【請求項４９】
呼吸可能ガスの流れへの酸素ガスの注入を可能にするために、前記ガス出口に連結され
た酸素投入ポートをさらに備えていることを特徴とする請求項４７に記載のシステム。
【請求項５０】
前記チャンバ手段と前記第１の側における前記ガス入口との間の均等化された圧力状態
に従って、逆流が阻止されるようになっていることを特徴とする請求項４７に記載のシス
テム。
【請求項５１】
前記チャンバ手段と周囲圧との間の均等化された圧力状態に従って、前方流れが阻止さ
れるようになっていることを特徴とする請求項４７に記載のシステム。
【請求項５２】
前記流れをシールする手段を開状態でロックする前記チャンバ手段のシールされた圧力
状態に従って逆流が可能になっていることを特徴とする請求項４７に記載のシステム。
【発明の詳細な説明】
【技術分野】
【０００１】
［関連出願の相互参照］
本願は、２０１０年３月２５に出願された米国仮特許出願第６１／３１７，４８３号の
出願日の利益を主張するものであり、その開示内容は、引用することにより本明細書の一
部となるものとする。
【０００２】
［発明の分野］
本技術は、呼吸治療装置内のガス流を制御するための弁に関する。さらに詳細には、本
技術は、呼吸治療装置、例えば、持続性気道陽圧治療装置、人工呼吸器装置、または呼吸
に関連する疾患を治療するための他の空気流装置内の流れ発生器への入口ガス流のような
ガス流を制限する弁に関する。
【背景技術】
【０００３】
呼吸治療装置は、患者の呼吸サイクル中、適当な時期に、無菌の呼吸可能ガス（通常、
補助酸素を含む空気または補助酸素を含まない空気）を１つまたは複数の治療圧で患者に
供給するように機能するものである。圧力変化は、吸気中に大きな圧力および呼気中に小
さい圧力をもたらすべく、呼吸と同期して行われるようになっている。治療圧は、通気圧
としても知られている。
【０００４】
呼吸治療装置は、典型的には、流れ発生器、空気フィルター、マスク、流れ発生器をマ
スクに接続する空気送達導管、種々のセンサー、およびマイクロプロセッサに基づく制御
装置を備えている。任意選択的に、マスクに代わって、気管切開チューブが患者インター
フェイスとして用いられることもある。流れ発生器は、サーボ制御モータ、ボリュート、
および送風機を構成するインペラを備えているとよい。場合によっては、送風機の速度を
より迅速に減速し、モータおよびインペラの慣性を抑えるために、モータ用ブレーキが組
み込まれてもよい。ブレーキ作動によって、送風機は、慣性にもかかわらず、呼気と同期
して低圧状態をより迅速に達成することができる。場合によっては、流れ発生器は、モー
タ速度制御に代わって、患者に送達される圧力を変更する手段として、生じた空気を大気
に放出することができる弁を備えていてもよい。センサーが、とりわけ、モータ速度、質
量流速、および、例えば圧力変換器による出口圧力、などを測定するようになっている。
呼吸治療装置は、任意選択的に、空気送達回路の経路に加湿器および／または加熱要素を
備えていてもよい。制御装置は、統合されたデータ検索機能および表示機能の有無に関わ
らず、データ記憶能力を備えているとよい。
【０００５】
これらの装置は、多くの疾患、例えば、肺に起因する呼吸の機能不全または障害、神経
筋または筋骨格の疾患、および呼吸調節の疾患のような疾患を治療するために用いられる
とよい。また、これらの装置は、（軽度の閉塞性睡眠時無呼吸症（ＯＳＡ）を含む）睡眠
呼吸障害（ＳＤＢ）、アレルギーによる上気道障害、または上気道の初期ウイルス感染に
関連する疾患に用いられてもよい。
【０００６】
操作中に、呼吸治療装置内の呼吸可能ガスの流れを制御するためのさらなる方法および
装置を開発することが望まれている。
【発明の概要】
【発明が解決しようとする課題】
【０００７】
本技術のいくつかの実施形態の態様は、呼吸治療装置用の流れ制御装置を提供すること
にある。
【０００８】
本技術のいくつかの実施形態の他の態様は、呼吸治療装置用の可変入口を提供すること
にある。
【０００９】
本技術のいくつかの実施形態のさらに他の態様は、患者流れに従って調整可能な入口流
れ制御装置を提供することにある。
【００１０】
本技術のいくつかの実施形態のさらに他の態様は、逆流を防止する流れ制御装置を提供
することにある。    
【００１１】
本技術のいくつかの実施形態のさらに他の態様は、検出された状態に基づいて、呼吸治
療装置内の呼吸可能ガスの逆流または返流を阻止するこのような流れ制御装置を提供する
ことにある。
【００１２】
本技術のいくつかの実施形態の他の態様は、流れ発生器の入口用の流れ制御シールを提
供することにある。
【課題を解決するための手段】
【００１３】
例えば、本技術のいくつかの実施形態では、呼吸治療装置は、呼吸可能ガスの流れを患
者にもたらすように構成されている。本装置は、閉状態と完全開状態との間で調整可能な
可変開口部を有するガス入口と、ガス出口とを備えているとよい。本装置の流れ発生器は
、ガス入口からガス出口に加圧された呼吸可能ガスの供給をもたらすことができるとよい
。本装置は、流れ発生器によって生じる圧力のレベルを制御する制御装置も備えていると
よい。開口部は、ガス出口に隣接する箇所にもたらされる呼吸可能ガスの流れのレベルに
応じて（as a function of）、開口の大きさを変化させるようになっているとよい。可変
開口部は、柔軟シールを備えていてもよい。可変開口部は、流れ値のある範囲にわたって
比例的に開くように構成されていてもよく、この流れの範囲は、第１の流れ値と第２の流
れ値との間にある。いくつかの実施形態では、第１の流れ値は、毎分略０リットルであり
、第２の流れ値は、毎分略７０リットルである。任意選択的に、可変開口部は、流れ範囲
を超える流れ値に対しては、開口の大きさが固定されて構成されていてもよい。可変開口
部は、流れ範囲の第１の流れ値において閉じるように構成されていてもよい。可変開口部
は、シール作動チャンバをさらに備えていてもよい。シール作動チャンバの圧力は、１つ
または複数の電気機械弁の制御によって設定されるようになっていてもよい。制御装置は
、電気機械弁を呼吸可能ガスの流れのレベルの測定に応じて設定するようになっていても
よい。任意選択的に、開口部は、電気機械弁を備えていてもよく、制御装置は、該電気機
械弁の開口の大きさを呼吸可能ガスの流れのレベルの測定に応じて設定するように、構成
されていてもよい。
【００１４】
本技術のいくつかの実施形態では、呼吸治療装置は、連続的な呼吸サイクルにおいて加
圧された呼吸可能ガスの供給を患者にもたらすように構成されており、各サイクルは、吸
気相および呼気相を含んでいる。本装置は、ガス入口と、ガス出口と、ガス入口からの呼
吸可能ガスの入口流れを受け、呼吸可能ガスをガス出口に送達する前に加圧することがで
きる流れ発生器とを備えているとよい。本装置の制御装置は、吸気圧および呼気圧をもた
らすために、流れ発生器によって生じた圧力のレベルを制御するように適合されていると
よく、呼気相の少なくとも一部において、吸気圧から呼気圧への圧力の低下を容易にする
ために、流れ発生器への入口流れが遮断されるようになっているとよい。この入口流れの
遮断によって、流れ発生器の送風機が無負荷になるようになっていてもよい。いくつかの
実施形態では、制御装置は、１つまたは複数の電気機械弁を設定することによって、入口
流れを遮断するように、構成されている。例えば、本装置は、入口の流路内の柔軟シール
、および柔軟シールに近接するシール作動チャンバをさらに備えていてもよい。電気機械
弁の設定によって、シール作動チャンバの圧力レベルが制御されるようになっていてもよ
い。
【００１５】
本技術のいくつかの実施形態では、呼吸治療装置用流れ発生器は、モータと、ボリュー
トと、モータに連結されたインペラとを備えている。インペラ用ハウジングは、ガス入口
およびガス出口を有している。ガス出口は、呼吸可能ガスを呼吸治療として送達するため
に、患者インターフェイスの導管に適合可能になっている。本装置は、ガス入口を選択的
に開閉するように配置された入口流れシールも備えている。入口流れシールは、ガス入口
の入口チャンバに内側から近接する第１の側、およびガス入口の入口チャンバに外側から
近接する第２の側を有している。シール作動チャンバは、入口流れシールの第２の側に近
接して構成されており、シール作動チャンバ内の負圧がガス入口を呼吸可能ガスの流れに
対して開放するようになっている。
【００１６】
いくつかの実施形態では、ハウジングは、第１および第２のポートと、入口チャンバの
後部とシール作動チャンバを圧力伝達のために接続する圧力伝達導管とをさらに備えてお
り、これによって、入口チャンバ内の負圧が、シール作動チャンバ内に負圧をもたらすよ
うになっている。任意選択的に、流れ発生器は、圧力伝達導管に連結された第１の流れ制
御弁を備えていてもよい。第１の流れ制御弁は、シール作動チャンバを、入口チャンバ圧
力に関連付けられた圧力伝達導管内の圧力または大気圧に選択的に切り換えるように構成
されていてもよい。
【００１７】
いくつかの実施形態では、シール作動チャンバ内の負圧は、ガス出口に向かって流れる
呼吸可能ガスの流れに起因している。さらに、この流れは、呼吸サイクルによって制御可
能になっている。従って、シール作動チャンバの形態および流れ制御弁の設定によって、
入口から発生器を通りそして出口へ向かう患者への流れが可能になる。
【００１８】
任意選択的に、シール作動チャンバ内の負圧は、流れ制御弁が大気圧に対して開放する
ように設定されたときに停止され、その結果、シール作動チャンバ内における実質的な周
囲圧の均等化をもたらすようになっていてもよい。この均等化によって、呼吸可能ガスの
流れ、例えば、入口から流れ発生器を通って出口に向かう流れに対して、ガス入口の閉鎖
が可能になる。
【００１９】
本装置がシール作動チャンバとガス入口チャンバとの間の均等化を可能にするように設
定されたとき、ガス入口を通る逆流が、阻止されるようになっていてもよい。ガス出口か
らガス入口への逆流は、入口チャンバ内およびシール作動チャンバ内の圧力を増大させ、
この増圧によって、シールによるガス入口の閉鎖が可能になる。
【００２０】
さらに他の実施形態では  第２の流れ制御弁が、第１の流れ制御弁に連結されている。
第２の流れ制御弁は、第１の流れ制御弁のガス入口をガス出口の圧力または周囲圧に選択
的に切り換えるように、構成されていてもよい。周囲圧への切換は、周囲環境に対して直
接行われてもよいし、または周囲圧と実質的に等しい圧力を有する入口チャンバの前部に
対して行われてもよい。
【００２１】
いくつかの実施形態では、流れ制御装置は、逆流を可能にするように選択的に設定され
ている。例えば、本装置は、シール作動チャンバ内の望ましい圧力レベルを封止するよう
に、１つまたは複数の制御弁を設定し、これによって、シール作動チャンバがガス入口チ
ャンバの圧力および周囲圧との均等化を中断するようになっているとよい。シール作動チ
ャンバ内の封止された圧力レベル、例えば、負圧によって、入口チャンバの圧力が逆流に
よって増大した場合であっても、入口流れシールを開位置にロックすることができる。
【００２２】
任意選択的に、流れ発生器の制御装置は、吸気の状態の検出に応じて、ガス入口を呼吸
可能ガスの流れに対して開放するために、シール作動チャンバ内の負圧を可能にするべく
、第１の流れ制御弁を設定するよう構成されていてもよい。制御装置は、呼気の状態の検
出に応じて、ガス入口を呼吸可能ガスの流れに対して閉鎖するために、シール作動チャン
バ内の負圧を中断するべく、第１の流れ制御弁および任意選択的に第２の流れ制御弁を設
定するよう構成されていてもよい。
【００２３】
本技術は、圧力治療措置用の大気圧を超える圧力の呼吸可能ガスを生成する流れ発生器
を備える呼吸治療装置として、実施されてもよい。流れ発生器は、ガス入口およびガス出
口を備え、ガス出口は、呼吸可能ガスを送達するために患者インターフェイスの導管に適
合するようになっているとよい。本装置は、圧力治療措置に従って呼吸可能ガスを生成す
るために、流れ発生器を制御する制御装置も備えているとよい。本装置の入口流れシール
は、ガス入口を選択的に開閉するように配置されているとよい。入口流れシールは、ガス
入口の入口チャンバに内側から近接する第１の側、およびガス入口の入口チャンバに外側
から近接する第２の側を有しているとよい。本装置は、入口流れシールの第２の側に近接
するシール作動チャンバも備えているとよく、シール作動チャンバ内の負圧が、呼吸可能
ガスの流れに対するガス入口の開口を可能にするようになっているとよい。
【００２４】
本装置のいくつかの実施形態では、圧力伝達導管が、内部入口チャンバおよびシール作
動チャンバを圧力伝達するように接続しており、これによって、内部入口チャンバ内の圧
力変化が、シール作動チャンバ内の圧力を変化させるようになっている。本装置のさらに
他の実施形態では、第１の流れ制御弁が、シール作動チャンバに連結されており、制御装
置の制御によって圧力伝達導管と大気圧との間で選択的切り換えるように構成されている
。さらに他の実施形態では、本装置の第２の流れ制御弁が、第１の流れ制御弁に連結され
ており、（ａ）ガス入口とガス出口との間の（流れを可能にする）圧力の均等化、および
（ｂ）ガス入口と第１の流れ制御弁との間の（流れを可能にする）圧力の均等化との間で
選択的に切り換えるように、構成されていてもよい。このような場合、ガス入口における
圧力は、実質的に周囲圧であるとよい。
【００２５】
本装置の流れ発生器は、モータ、ボリュート、およびガス入口とガス出口との間に構成
されたインペラを備えていてもよい。前述した実施形態と同様、流れを可能にし、流れを
停止し、逆流を阻止し、および逆流を可能にするために、１つまたは複数の弁が、チャン
バおよびシール内の圧力を制御するように設定されるようになっているとよい。
【００２６】
本技術のいくつかの実施形態では、システムが、呼吸治療装置内の流れ発生器への流れ
を調整するようになっている。本システムは、流れ発生器に繋がるガス入口であって、該
流れ発生器を通って、呼吸可能ガスの流れが引き込まれるようになっている、ガス入口を
備えているとよい。本システムは、ガス入口における流れをシールする手段も備えている
とよい。このシール手段は、ガス入口の入口チャンバに内側から近接する第１の側および
ガス入口の入口チャンバに外側から近接する第２の側を有しているとよい。本システムは
、シール手段の第２の側に近接するチャンバ手段も備えているとよく、チャンバ手段内の
負圧によって、ガス入口がシール手段において開放されるようになっているとよい。本シ
ステムは、ガス入口内の圧力変化に従ってチャンバ手段に対する圧力を変化させる手段も
備えているとよい。さらに、本システムは、ガス入口内の圧力変化を可能にすると共に、
チャンバ手段内の圧力変化を選択的に中断させる手段も備えているとよい。
【００２７】
任意選択的に、前述の実施形態は、ガス入口内に酸素ガスを注入するために、入口に連
結された酸素投入ポートを備えていてもよい。
【００２８】
本呼吸治療装置技術の付加的な特徴は、以下の詳細な説明、図面、および請求項を検討
すれば、明らかになるだろう。
【００２９】
添付の図面によって、本技術を例を挙げて説明するが、本技術は、これらに制限される
ものではない。なお、同様の参照番号は、同様の要素を指すものとする。
【図面の簡単な説明】
【００３０】
【図１】本技術の実施形態における流れ発生器用入口制御装置の構成部品を示す概略図である。
【図１−Ａ】本技術の例示的実施形態におけるシールと入口開口部との間の面積比を示す図である。
【図２】図１の構成部品の加圧操作を示す概略図である。
【図３】図１の構成部品の減圧操作を示す概略図である。
【図３−Ａ】図１の構成部品の流れ遮断操作を示す概略図である。
【図３−Ｂ】図１の構成部品の患者逆流操作を示す概略図である。
【図４】本技術のアセンブリ用の例示的な入口制御構成部品を示す図である。
【図５】本技術の実施形態における送風機のボリュートハウジングに設置された図４の例示的な入口制御構成部品の側断面図である。
【図５−Ａ】本技術の他の実施形態用の入口制御構成部品の分解側方斜視図である。
【図６】本技術の入口制御装置を有する呼吸治療装置の例示的な構成部品を示す図である。
【図７】本技術のさらなる呼吸治療装置の実施形態における流れ発生器用入口制御装置の構成部品を示す概略図である。
【図８】初期吸気状態における図７の実施形態の構成部品の操作を示す概略図である。
【図９】最大吸気流状態における図７の実施形態の構成部品の操作を示す概略図である。
【図１０】呼気状態における図７の実施形態の構成部品の操作を示す概略図である。
【図１１】非通気呼吸治療装置を用いた場合の吸気状態における図７の実施形態の構成部品の操作を示す概略図である。
【図１２】非通気呼吸治療装置を用いた場合の初期呼気状態における図７の実施形態の構成部品の操作を示す概略図である。
【図１３】非通気呼吸治療装置を用いた場合の呼気状態における図７の実施形態の構成部品の操作を示す概略図である。
【図１４】非通気呼吸治療装置を用いた場合の吸気一時停止状態における図７の実施形態の構成部品の操作を示す概略図である。
【図１５】非通気呼吸治療装置を用いた場合の故障状態における図７の実施形態の構成部品の操作を示す概略図である。
【発明を実施するための形態】
【００３１】
本技術の例示的な実施形態は、図１の概略図に示されている構成部品を備える、流れ発
生器または呼吸治療装置用の呼吸可能ガス入口制御装置１０２によって実現されることに
なる。典型的には、サーボ制御送風機１０４のような流れ発生器は、モータ、ボリュート
およびインペラ１０５を備えている。インペラ１０５によって、送風機は、ガス出口１０
６に向かう呼吸可能ガス（例えば、空気）の流れを生じさせることができる。図１は、ラ
ジアル圧縮機としても知られている送風機式の流れ発生器を示しているが、ピストン型圧
縮機のような他の流れ発生器が利用されてもよい。呼吸治療装置では、ガス出口１０６は
、典型的には、送達導管または供給導管およびマスクまたは気管切開チューブ（図示せず
）のような呼吸治療用の患者インターフェイスに連結されるように、構成されている。
【００３２】
呼吸可能ガスは、インペラの駆動回転によって、ガス入口１０８を通って送風機内に引
き込まれるようになっている。インペラ１０５の回転によって、周囲圧または大気圧に対
して、入口に低ガス圧状態および出口に高ガス圧状態が生じる。ガス入口は、入口チャン
バ１１０によって形成されている。入口チャンバ１１０は、引き込まれたガスの流れをイ
ンペラ１０５内に導く経路として機能する。図１に示されているように、入口チャンバ１
１０の開口部１１２は、入口流れシール１１４によって封止されるようになっているとよ
い。入口流れシール１１４の制御された運動は、シールの外側にあるガス入口チャンバ１
１０の前部１１０Ａとシールの内側にあるガス入口１０８の後部１１０Ｐとの間のガス移
動を阻止または許容することによって、流れを妨げるように働く。
【００３３】
図１に示されているように、入口流れシール１１４は、空洞またはシール作動チャンバ
１１６に連結されている。シール作動チャンバ内のガス圧の選択的な制御は、入口流れシ
ール１１４の運動を制御するように作用する。例えば、入口流れシール１１４は、柔軟薄
膜によって形成されているとよい。この薄膜は、標準的な圧力状態において、例えば、周
囲圧状態がシール作動チャンバ１１４内およびガス入口１０８内に存在するとき、該薄膜
が開口部１１２を弾性的に閉鎖または封止するように、形成されており、かつ位置決めさ
れているとよい。図１の実施形態に示されているように、このような圧力状態は、送風機
１０４が作動していないときに存在する。さらに、シールの弾性および／またはシール作
動チャンバ内の圧力状態にもよるが、シールは、入口チャンバ１１０の後部１１０Ｐから
入口チャンバ１１０の前部１１０Ａに向かうガスの逆流を防ぐことができるようになって
いる。従って、入口流れシールは、逆止弁としても作用することになる。
【００３４】
入口流れシール１１４の断面積（すなわち、シールの表面積）は、図１Ａに示されてい
るように、入口開口部１１２のガス通路の断面積よりも大きくなるように、設計されてい
るとよい。結果的に、入口流れシールに対する開口部の断面積の比は、１：１よりも大き
いとよく、好ましくは、約１：１．５から約１：３の間であり、さらに好ましくは、約１
：２である。図１−Ａの例では、シール１１４の表面積１１５は、入口開口部のガス通路
１１２の断面積１１３の約２倍である（すなわち、面積比ＡＲ２／ＡＲ１＝１／２）。
【００３５】
図１の実施形態では、シール作動チャンバ１１６の加圧状態を変化させるために、電気
機械弁（例えば、３ポート／２方向弁）のような流れ制御弁１１８が用いられている。例
えば、図示されているように、流れ制御弁１１８は、シール作動チャンバ１１６の圧力が
種々の圧力と均等になるように、選択的に設定されるようになっている。種々の圧力とし
て、例えば、第１の導管１２０を通る（図１に矢印「ＡＰ」として示されている）周囲圧
、または第２の導管、すなわち、圧力伝達導管１２２を通る入口チャンバ１１０の他の圧
力、例えば、送風機が作動していないときの入口チャンバ１１０の後部１１０Ｐの周囲圧
が挙げられる。
【００３６】
以下、図１の装置のいくつかの操作モードについて、図２，３，３−Ａ，３−Ｂを参照
して説明する。
【００３７】
図２に示されているように、周囲圧に対する負圧または減圧が入口チャンバ１１０の後
部１１０Ｐ内に存在することがある。（図２に矢印「ＤＰ」として示されている）この負
圧は、流れ制御弁１１８の操作によって、圧力伝達導管１２２を介してシール作動チャン
バ１１６に伝達されるようにすることができる。例えば、図２にさらに示されているよう
に、送風機が作動し、流れがガス出口１０６に向かって導かれるとき、流れ制御弁１１８
は、シール作動チャンバ１１６の加圧状態を、例えば、患者の吸入時（すなわち、吸気時
）の呼吸可能ガスの内方流れの圧力によって生じる入口チャンバ１１０の負圧「ＤＰ」と
するように、設定されるとよい。この圧力は、空圧リンクとして機能する圧力伝達導管１
２２を通って、シール作動チャンバ１１６に伝達されることになる。重要なことは、シー
ル作動チャンバ１１６および入口流れシール１１４は、シール作動チャンバ１１６内のこ
の圧力変化の結果として、開口部１１２を開口させるように、構成されていることである
。これに関連して、送風機のインペラの回転は、圧力源として作用するが、（シールを開
口させる）入口チャンバ１１０の前部１１０Ａに対する後部１１０Ｐの圧力降下は、単に
インペラの回転によるものではなく、むしろ入口チャンバ１１０を通る流れの結果である
。例えば、後部１１０Ｐを通る流れは、送風機が駆動されているかどうかに関わらず、患
者の呼吸サイクルに規制または誘引されることがある。さらに、以下にさらに詳細に説明
するように、装置の状態によっては、送風機が駆動（例えば、回転）されても、例えば、
送風機の出力が封鎖されているときのように、後部１１０Ｐを通るどのような流れも存在
しない場合がある。にもかかわらず、もし患者流れが存在しているなら、インペラに誘引
される圧力が、患者流れに誘引される圧力と連携して、後部内に存在する圧力レベルに寄
与する場合がある。
【００３８】
開口部１１２およびシール１１４のそれぞれの寸法ならびにシールの可撓性は、チャン
バ内の圧力低下がシールの１つまたは複数の部分をシール作動チャンバ１１６内に後退さ
せるように、選択されているとよい。この後退によって、シール１１４がシール作動チャ
ンバ１１６内に引き込まれ、入口チャンバ１１０の前部１１０Ａと入口チャンバ１１０の
後部１１０Ｂとの間に間隙がもたらされることになる。従って、シールのこの後退によっ
て、ガス流れが、シールと開口部との間を通って、前部１１０Ａから後部１１０Ｐ、次い
で、インペラに向かうことが可能になる。
【００３９】
シールの柔軟性にもよるが、シールの運動の程度は、患者によって生じる可変流れに応
じさせることができる。従って、送風機作動中に開口部および柔軟シールによって形成さ
れる開口の大きさは、図２の点線によって示されているように、誘引流れに比例すること
になる。例えば、入口チャンバの後部１１０Ｐ内の内向き流れが大きいほど、開口部１１
２の開口が大きくなり、より大きい流れが送風機内に向かうことになる。同様に、入口チ
ャンバの後部１１０Ｐ内の内向き流れが小さいほど、開口部１１２の開口が小さくなり、
より小さい流れが送風機内に向かうことになる。この比例的な開口によって、送風機によ
って引き込まれる望ましい流れを可能にするのに十分な必要最小限度の開口の大きさを形
成することができる。より大きい開口は、ガスの流れが該開口を通過するときに、より大
きい騒音をもたらす可能性がある。従って、このような比例的な流れ開口の潜在的な利益
として、騒音低下が挙げられる。このような特徴は、睡眠中の患者の治療用に設計された
呼吸治療装置にとって、重要である。
【００４０】
従って、いくつかの実施形態では、入口制御装置は、患者に必要とされる吸気中に供給
されるべき種々の流れのレベルを可能にする可変入口開口とともに実現されるとよい。吸
気中、シールは、可変開口をもたらすために開口部１１２のリムからの距離を調整する受
動的比例弁として作用する。従って、開口の大きさは、患者流れのレベルに関連すること
になる。特定の例示的実施形態では、単純な受動的空圧（流れ）サーボ制御は、以下のよ
うに、すなわち、
（ａ）流れが０の場合、弁は、完全に閉鎖され、
（ｂ）流れが毎分略０Ｌと７０Ｌの間の前方流れの場合、弁開口の大きさは、流れに連
動し、
（ｃ）流れが毎分略７０Ｌを超える場合、弁は、一定の開口の大きさで完全に開放され
る、
ように、実施されるとよい。
【００４１】
しかし、他の流れ範囲が、設定されてもよい。固定された入口開口を有する装置と比較
して、このような可変開口は、送風機の作動条件を最適化することができ、および／また
はシステムから放出される騒音を低減することができる。
【００４２】
図３においてさらに示されているように、送風機が作動されているとき、流れ制御弁１
１８は、駆動されているインペラの回転を必ずしも停止または低下させることなく、シー
ル作動チャンバ１１６の加圧状態を軽減または中断させるように、設定されるとよい。例
えば、流れ制御弁１１８は、第１の導管１２０または空圧リンクを介して、周囲圧をシー
ル作動チャンバ１１６に伝達させるように、設定されるとよい。その結果として得られる
シール作動チャンバ１１６内の圧力の均等化によって、入口流れシール１１４を開口部１
１２に隣接したその標準形態に戻し、これによって、開口部１１２を封止することができ
る。さらに、シール弾性に加えて、もし図３に示されているように、送風機がさらに回転
している場合（すなわち、インペラがさらに回転している場合）または患者がさらに吸入
している場合、入口チャンバ１１０の前部１１０Ａまたはシール作動チャンバ１１６のい
ずれかにおける高周囲圧状態に対する入口チャンバ１１０の後部１１０Ｐ内の減圧状態が
、開口部１１２に対するシールの閉鎖をさらに強める吸引力としてさらに作用することに
なる。
【００４３】
従って、シールは、送風機の速度を必ずしも変更することなく、または送風機のモータ
のブレーキ作動に必ずしも頼ることなく、送風機内へのガスの流れを阻止する（すなわち
、入口供給を遮断する）効率的かつ迅速な手段として役立つことになる。ブレーキ作動の
回避によって、熱を低下させ、送風機をより低温に保つことができる。また、ブレーキ作
動の回避または軽減は、システムのエネルギー必要量を低減させるのにも役立つ。何故な
ら、送風機の速度の低下を制御するために流れ発生器に電流を供給する場合と比較して、
入口流れ制御装置の弁の操作は、わずかな電流しか必要としないからである。
【００４４】
従って、いくつかの例示的な実施形態では、入口制御は、モータ速度のブレーキ作動の
有無に関わらず、呼気中に送風機によって送達される圧力を低減させるべく実施されるこ
とができる。入口制御は、送風機からの流れの発生をより迅速に停止かつ開始するために
行われてもよい。例えば、流れの迅速な停止および開始は、この装置を用いる制御装置に
よって制御可能であり、これによって、分泌物除去を起こすのに適した患者の震動モード
呼吸（例えば、患者の咳）を誘引させることができる。
【００４５】
従って、入口制御装置１０２の閉鎖は、供給される治療ガスの制御調整を行う制御手順
の一部として機能することになる。例えば、入口開口部の大きさのこの縮小（例えば、閉
鎖）は、送風機の迅速な減速に頼ることなく、吸気圧から呼気圧に移行させるために、行
われてもよい。これに関連して、送風機は、流れを遮断することによって（例えば、入口
制御装置１０２を閉鎖することによって）、無負荷になる。これは、送風機がより迅速に
減速し、入口を通る流れをなおも受けている送風機をブレーキ作動するときに一般的に必
要な高レベルの誘導電流を必要としないことを意味している。換言すれば、送風機は、入
口を介して空気を引き込むことができないときには、どのような負荷も有していないこと
になる。従って、流れを、この送風機の無負荷に起因して、迅速な応答時間で遮断するこ
とができる。流れを迅速に制御するこの能力によって、流れ発生器によって生じる呼吸治
療波形の形状をさらにきめ細かく調整することができる。もしシャープな圧力波形／応答
が必要な場合、入口制御装置の開口部を迅速に閉鎖することができる。
【００４６】
本技術を有していないいくつかの他の形式の装置では、吸気から呼気への移行は、送風
機を減速するのに必要な時間に起因して、呼気の開始時に流れスパイク（spike）をもた
らすことになる。この流れスパイクは、本技術の実施形態では、入口制御装置の閉鎖、従
って、入口流れの遮断によって、回避することができる。
【００４７】
従って、いくつかの実施形態では、制御装置は、センサー（例えば、流れセンサーから
の測定値）から呼気関連状態（例えば、呼気の始端、吸気の終端、など）を検出し、入口
開口部を閉鎖することによって流れ発生器への流れを遮断するように、入口制御装置の弁
を設定することができる。任意選択的に、制御装置は、同時にまたは同時期に、例えば、
流れ発生器の速度を呼気に適する圧力（例えば、呼気圧レベル）を生成するのに適する設
定値に減少させるために、流れ発生器の設定を変化させてもよい（例えば、電流を低減さ
せてもよい）。このような制御装置の変化として、呼気終端陽圧レベル（ＰＥＥＰ）を生
成するのに用いられる流れ発生器の設定が挙げられる。従って、入口流れ装置および任意
選択的に流れ発生器の制御は、生じる呼吸治療圧力波形の望ましい形状をもたらすのを助
けることもできる。
【００４８】
図３−Ａに示されているように、シール作動チャンバ１１６の圧力と入口チャンバ１１
０の後部１１０Ｐの圧力とを均等にするように流れ制御弁１１８が設定されている間、送
風機が作動されてもよい。さらに、（例えば、患者インターフェイスのいくつかの問題に
起因して、または患者が吸入または吐出のいずれもできない場合に）、送風機に誘引され
る流れが送風機の出口１０６から流出するのを阻止するべく、送風機の出力が、出口１０
６またはその前方において封鎖されてもよい。この操作中、患者流れが存在しないので、
シール１１４は、シールの形態およびシール作動チャンバ１１６の圧力と入口チャンバ１
１０の後部１１０Ｐの圧力（ここでは、入口チャンバ１１０の前部１１０Ａの圧力と略同
じとなる）との間の均等化に起因して、開口部１１２を閉鎖する位置に保持されている。
【００４９】
また、流れの遮断によって、他の利益、例えば、非通気マスクシステムを用いた場合に
逆流を防ぐことができるという利益が得られることになる。例えば、図３−Ｂに示されて
いるように、シール作動チャンバ１１６の圧力と入口チャンバ１１０の後部１１０Ｐの圧
力を均等にするように流れ制御弁１１８が設定されている間、送風機が作動されてもよい
。このような状態において、患者は、逆流ＢＦ状態を出口１０６内にもたらすように息を
吐き、これによって、入口チャンバ１１０の後部１１０Ｐ内に、周囲圧に対して（図３−
Ｂに「ＨＰ」として示されている）陽圧を生じることになる。しかし、このような場合、
シール１１４は、開口部１１２を閉鎖する位置に保持されており、仮に後部１１０Ｐの陽
圧が入口チャンバ１１０の前部１１０Ａ内の周囲圧を超えた場合であっても、シールの形
態およびシール作動チャンバ１１６と入口チャンバ１１０の後部１１０Ｐとの圧力の均等
化に起因して、逆流を阻止することができる。
【００５０】
また、逆流の阻止は、酸素を利用するシステムに対して利益を有することができる。例
えば、以下にさらに詳細に説明するように、酸素が送風機の後方または下流に注入される
場合、呼気中に弁を閉鎖することによる流れの遮断は、酸素が装置の圧力側に保持される
こと（例えば、酸素が装置の外側に全く漏出しないこと）を意味している。また、この構
成は、酸素へのモータの露出を低減させることができる。何故なら、送風機を通る酸素の
逆流は、全くまたは殆ど存在しないからである。
【００５１】
例示的な入口制御アセンブリの構成部品が、図４に示されている。入口流れシール１１
４は、シール面４４２を有する柔軟材料から形成されている。シール面４４２は、前述し
たように、入口開口部（図示せず）に重なる薄膜として作用することになる。柔軟プロン
グ４４６を有するクランプリング４４４は、入口流れシール１１４の外周リップ４４７を
チャンバ本体４４８にクランプするように構成されており、これによって、チャンバ本体
と入口流れシールとの間にシール作動チャンバ１１６が形成されることになる。チャンバ
本体４４８は、シール作動チャンバ１１６の周辺の外側に、入口空気流がチャンバ本体４
４８を通ることを可能にする孔４５０を備えている。孔のいくつかは、プロングが孔にス
ナップ嵌合または係合されるとき、クランプリング４４４の柔軟プロング４４６を受け入
れるように、互いに離間され、かつ寸法決めされているとよい。チャンバ本体４４８は、
（図４に示されていない）１つまたは複数の流れ制御弁１１８からの選択された圧力を伝
達するための圧力ポート４５２を備えている。
【００５２】
図５は、送風機１０４または流れ発生器に連結された例示的な入口制御アセンブリの構
成部品の断面図である。図示されている送風機１０４は、モータ５５０、およびボリュー
ト５５２に連結されたインペラ１０５を備えている。ボリュート５５２は、流れ発生器の
インペラ１０５用のハウジングとして機能するものである。この実施形態では、ボリュー
トが、流れ入口１０８を備えている。組み込まれると、入口流れシール１１４のシール面
４４２は、流れ入口１０８のリムの周囲に重ねられることになる。前述の操作中、入口１
０８のリムおよびシール面４４２の後退によって、開口部１１２に開口が形成されること
になる。この実施形態では、入口１０８として機能するボリュートの壁は、圧力ポートを
備えている。入口１０８のこの圧力ポート５５４は、（図５に示されていない）導管およ
び（図５に示されていない）流れ制御弁１１８を介して、入口チャンバの後部１１０Ｐと
シール作動チャンバ１１６との間の圧力の変換を可能にするものである。
【００５３】
図５に示されているように、この実施形態の特定の構造は、小型化の可能性を有してい
る。すなわち、そのコンパクトな設計によって、呼吸治療装置のハウジングの大きさを縮
小することができる。これに関連して、入口において送風機の近くにシールおよびシール
作動チャンバを配置することによって、空間を縮小することができる。これに関連して、
入口制御装置の構成部品の一部は、送風機用のボリュートと一体化されていてもよい。し
かし、代替的な実施形態では、装置または送風機とは別の場所にシール作動チャンバおよ
びシールを配置することも可能である。例えば、シール作動チャンバおよびシールは、チ
ューブまたは他の導管（図示せず）を介して、送風機または送風機ハウジングに取り付け
可能および／取外し可能になっていてもよい。
【００５４】
入口制御アセンブリの他の実施形態が、図５−Ａに示されている。この実施形態では、
入口流れシール１１４は、取付けリング５５５とチャンバ本体４４８との間にクランプさ
れている。取付けリング５５５は、入口チャンバ１１０の壁に取外し可能に設置すること
ができる。例えば、取付けリング５５５のサイドクリップまたはネジ部（図示せず）が、
入口チャンバ１１０の壁の受け溝（図示せず）に嵌合するようになっているとよい。適所
にスナップ嵌合または回転されると、取付けリングは、入口制御アセンブリを送風機ボリ
ュート５５２に固定することになる。入口制御アセンブリのこの実施例では、取付けリン
グ５５５は、柔軟プロング４４６を備えている。柔軟プロング４４６は、入口流れシール
１１４の外周リップ４４７をチャンバ本体４４８にクランプするように構成されており、
これによって、チャンバ本体と入口流れシールとの間にシール作動チャンバ１１６が形成
されることになる。チャンバ本体４４８は、シール作動チャンバ１１６の周囲の外側に、
入口空気流がチャンバ本体４４８を通ることを可能にする孔４５０を備えている。孔のい
くつかは、プロングが孔にスナップ嵌合または係合したとき、取付けリング５５５の柔軟
プロング４４６を受けるように、互いに離間されており、かつ寸法決めされているとよい
。チャンバ本体４４８は、（図４には示されていない）１つまたは複数の流れ制御弁１１
８から選択された圧力を伝達するための圧力ポート４５２を備えている。入口チャンバ１
１０の後部１１０Ｐに繋がっている他の圧力ポート５５４が、ボリュートの入口チャンバ
の壁内に一体化されている。
【００５５】
図５，５Ａの実施形態では、入口制御装置の構成部品を送風機のハウジングまたは送風
機の入口に連結するための種々の構成が示されている。しかし、送風機に接続されるよう
になっている付加的な構成が用いられてもよい。例えば、入口制御装置の構成部品のいく
つかまたは全てが、取外し可能なユニットまたはモジュールとして構成されていてもよい
。このユニットまたはモジュールは、送風機の入口または送風機のハウジングの一部に取
外し可能に連結されるようになっているとよい。例えば、このユニットまたはモジュール
は、バイオネット接続部またはバイオネットカプラーを有するように構成されていてもよ
い。同様に、このユニットまたはモジュールは、締り嵌めによって送風機の入口に嵌合す
るように、送風機の入口に連結されるようになっていてもよい。他の連結構成、例えば、
スナップ嵌合構成が用いられてもよい。
【００５６】
［例示的な呼吸治療装置の操作］
前述したように、呼吸可能ガス入口制御装置１０２は、図６に示されている呼吸治療装
置６００、例えば、人工呼吸器または持続気道陽圧装置の流れ発生器と共に用いられると
よい。このような装置は、１つまたは複数のマイクロコントローラまたはプロセッサを含
む制御装置６６４を備えている。従って、呼吸治療装置６００は、任意選択的な１つまた
は複数の圧力センサーおよび／または流れセンサーからの信号に合わせて圧力発生器また
は送風機によって送達される圧力を設定するための１つまたは複数の治療措置に用いられ
るとよい。従って、制御装置は、患者治療中に送風機の速度を調整し、これによって、検
出された疾患（例えば、流れ制限、不十分な換気、無呼吸、など）を治療し、および／ま
たは検出された患者の呼吸中の圧力変化に同期し、これによって、呼吸をシミュレーショ
ンまたは支援するようになっているとよい。加えて、制御装置６６４は、１つまたは複数
の流れ制御弁１１８の制御によって、シール作動チャンバ１１６の圧力を選択的に設定し
、入口流れ制御装置６６６によって、送風機へのガス（例えば、空気または酸素および空
気）の流れを可能にし、および／または送風機からのガスの逆流を防ぐように、構成され
ているとよい。この場合、入口流れ制御装置６６６は、入口流れシール１１４を制御する
ことになる。
【００５７】
従って、制御装置６６４または入口流れ制御装置６６６は、典型的には、特定の制御手
法、例えば、以下にさらに詳細に説明するアルゴリズムを実施するように構成された１つ
または複数のプロセッサを備えている。この目的のために、制御装置は、集積チップ、メ
モリーおよび／または他の制御指令、データまたは情報記憶媒体を含んでいるとよい。例
えば、このような制御手順を含むプログラム化された指令は、装置のメモリー内の集積チ
ップにコード化されているとよい。このような指令は、代替的に、適切なデータ記憶媒体
を用いて、ソフトウエアまたはファームウエアとして読み込まれてもよい。制御装置は、
典型的には、流れ制御弁および装置の他の構成部品（例えば、送風機モータ）を設定する
ためのバスまたはエレクトロニックインターフェイスを備えていてもよい。
【００５８】
呼吸治療装置の操作中、所望の用法に依存して、入口流れ制御装置６６６は、システム
の種々の状態の検出に基づき、ガス入口制御装置１０２を設定するようになっている。例
えば、圧力データおよび流れデータの解析から、制御装置は、患者の呼吸サイクルの種々
の状態の検出に基づいて、ガス制御装置１０２を設定するようになっているとよく、また
は、これらの状態、例えば、吸気、呼気、吸気の開始、呼気の開始、吸気ピーク流れ、吸
気一時停止等を実行するようになっているとよい。圧力データおよび／または流れデータ
からこれらの状態を検出するための周知の方法またはそれらを実行するための方法（例え
ば、定時バックアップ呼吸率を実行するための方法）が、制御装置のプログラミングまた
は回路によって行われるとよい。種々のシステム構成および種々の呼吸状態における制御
装置によるガス入口制御装置１０２の設定の種々の実施例が、図７−１５に示されている
。
【００５９】
図７−１５の呼吸装置構成では、入口流れ制御装置６６６の制御下において追加的な流
れ制御弁７７２（または圧力解除弁）が追加されている。追加的な流れ制御弁７７２は、
（ａ）逆流導管７７９を介する送風機１０４の出口１０６と入口チャンバ１１０の前部１
１０Ａとの間の圧力または流れの均等化、または（ｂ）第１の制御弁１１８に対する第１
の導管１２０と入口チャンバ１１０の前部１１０Ａとの間の圧力または流れの均等化を選
択的に可能にするものである。しかし、いくつかの実施形態では、任意選択的な逆流導管
７７９は、設けられていなくてもよい。このような場合、任意選択的な逆流導管７７９に
対する流れ制御弁７７２のポートは、キャップで覆われているとよい。これによって、流
れ制御弁７７２は、入口１０８と第１の導管１２０との間にガスを選択的に導くことがで
きる２方向弁としてのみ機能することになる。任意選択的に、流れ制御弁７７２は、２方
向弁によって置き換えられてもよい。
【００６０】
図７の実施例では、流れ制御弁７７２は、送風機１０４の出口１０６と入口チャンバ１
１０の前部１１０Ａとの間の圧力の均等化またはそれらの間の流れを可能にする標準状態
で用いられている。送風機１０６の出口から入口チャンバ１１０の前部１１０Ａへの流れ
のこのような再循環は、モータの冷却を促進することができ、低流量での弁のより良好な
制御をもたらすことができる。次いで、制御装置６６６による作動によって、流れ制御弁
７７２は、第１の導管１２０を介する第１の制御弁１１８と入口チャンバ１１０の前部１
１０Ａとの間で圧力を均等化するようにまたはそれらの間の流れを可能にするように、切
り換えられてもよい。同様に、流れ制御弁１１８は、入口チャンバ１１０の後部１１０Ｐ
とシール作動チャンバ１１６との間の圧力の均等化またはそれらの間の流れを可能にする
標準状態で用いられている。次いで、制御装置６６６による作動によって、流れ制御弁１
１８は、第１の導管１２０とシール作動チャンバ１１６との間で圧力を均等化にするよう
にまたはそれらの間の流れを可能にするように、切り換えられてもよい。この場合、シー
ル作動チャンバ１１６の圧力は、流れ制御弁７７２の設定にさらに依存することになる。
例えば、流れ制御弁１１８がその作動状態にあり、かつ流れ制御弁７７２がその標準状態
にあるとき、シール作動チャンバ１１６は、すでに加えられた最後の圧力に効果的に封止
されることになる。このような場合、もし流れ制御弁１１８の作動前に負圧状態がシール
作動チャンバ１１６内に存在していたなら、シール作動チャンバ１１６は、入口流れシー
ル１１４を開状態に「ロック（lock）」することができる。このような場合、入口流れシ
ールは、送風機の停止時であっても、開いている。
【００６１】
加えて、図７−１５の例示的なシステムでは、患者呼気の終端に陽圧を送達するために
、第２の送風機または呼気終端陽圧（ＰＥＥＰ）送風機７０４が設けられていてもよい。
ＰＥＥＰ送風機７０４が示されているが、ＰＥＥＰ送風機７０４の完全な操作は、本技術
のガス入口制御装置１０２の説明の範囲を超えている。また、図面には、マフラーチャン
バ７７７内の安全弁７７０が示されている。一般的に、安全弁は、患者吸気中には開いて
おり、患者呼気中には閉じている。
【００６２】
以下、図８−１０を参照して、操作について説明する。一般的に、図８−１０は、通気
式換気（すなわち、通気式の患者インターフェイスまたはマスクを有する装置を用いる場
合）の操作を示している。なお、これらの図は、能動状態にあるかまたは駆動されている
（すなわち、スイッチＯＮされている）制御装置を示している。図７は、呼吸治療装置が
ＯＦＦにあるときのガス入口制御装置１０２の初期設定を示すブロック図である。図７に
示されている初期設定は、通気マスクまたは非通気マスクのいずれが用いられていても同
じである。この状態では、流れ制御弁７７２および流れ制御弁１１８は、作動していない
（すなわち、それらの標準状態にある）。
【００６３】
また、図７は、制御装置６６４が換気停止を行っているとき、例えば、該制御装置が患
者の呼気が終了して吸気がまだ開始していないことを検出したときのガス入口制御装置１
０２の設定を示している。従って、流れは、存在しないかまたは極めて少ない。制御装置
６６４は、流れ制御装置７７２または流れ制御弁１１８のいずれも作動させていない。送
風機は、駆動されていてもよいし、または駆動されていなくてもよく、かついずれの場合
にも回転していてもよいが、ガス入口制御装置１０２は、送風機から入口チャンバ１１０
の前部１１０Ａへの逆流を防ぐために、閉じている。
【００６４】
図８は、呼吸治療装置がＯＮ状態にあり、かつ制御装置６６４が患者吸気または定時バ
ックアップの開始のいずれかを検出することによって、吸気の始動を行うときのガス入口
制御装置１０２の設定を示すブロック図である。制御装置６６４は、流れ制御弁７７２ま
たは流制御弁１１８のいずれも作動させていない。この状態では、送風機が吸気気道陽圧
（ＩＰＡＰ）を送達するために駆動されているので、患者の高吸気流が、入口チャンバの
後部１１０Ｐ内およびシール作動チャンバ１１６内に負圧状態または吸引を生じさせてい
る。従って、ガス入口制御装置１０２が開き、送風機への流れが可能になる。加えて、こ
の構成では、逆流導管７７９を介する出口１０６から入口チャンバへの流れが、冷却機能
を果たすことになる。逆流導管によって生じる漏流れによって、送風機は、より高速で回
転することができる。送風機を通る流れをより大きくすることによって、送風機を冷却す
る役割を果たすことができる。
【００６５】
図９は、呼吸治療装置がＯＮ状態にあり、かつ制御装置６６４が患者吸気の予期される
ピーク流れを検出したときのガス入口制御装置１０２の設定を示すブロック図である。制
御装置６６４は、流れ制御弁７７２を作動させていないが、流れ制御弁１１８を作動させ
ている。この状態では、送風機は駆動されており、吸気気道陽圧（ＩＰＡＰ）を送達して
いる。入口チャンバの後部１１０Ｐに生じている負圧状態は、流れ制御弁１１８の作動に
よって、シール作動チャンバ１１６内に維持または封止されている。従って、ガス入口制
御装置１０２は、送風機へのさらなる流れを可能にしつつ、（流れ制御弁１１８の作動時
の患者流れの量に依存して）、開状態または少なくとも部分的な開状態に「ロック」され
ている。
【００６６】
図１０は、呼吸治療装置がＯＮ状態にあり、かつ制御装置６６４が上記の吸気の後患者
呼気を検出したときのガス入口制御装置１０２の設定を示すブロック図である。制御装置
６６４は、流れ制御弁７７２を作動させていないが、流れ制御装置１１８を継続して作動
させている。この状態では、送風機は、駆動されており、呼気気道陽圧（ＥＰＡＰ）を送
達するようになっている。すでに生じている負圧状態がシール作動チャンバ１１６内にお
いて維持または封止されているので、ガス入口制御装置１０２は、開状態または部分的に
開状態で「ロック」されている。これによって、出口１０６から送風機を通って入口１０
８の外に向かう逆流が可能になり、患者の呼気流を呼吸治療装置を介して排気させること
が可能になる。
【００６７】
図１１−１５は、非通気式換気（すなわち、非通気患者インターフェイスまたはマスク
を備える装置を用いる場合）の操作を示している。これに関連して、図１１は、呼吸治療
装置がＯＮ状態にあり、かつ制御装置６６４が、患者吸気の検出または定時バックアップ
の開始によって、吸気を開始するときのガス入口制御装置１０２の設定を示すブロック図
である。制御装置６６４は、流れ制御弁７７２、流れ制御弁１１８のいずれも作動させて
いない。この状態では、送風機が駆動されており、患者の吸気流の結果として閉ループ制
御の設定値に基づき、流れまたは圧力を送達しているので、入口チャンバの後部１１０Ｐ
内およびシール作動チャンバ１１６内に負圧状態が生じている。従って、ガス入口制御装
置１０２は、開いており、送風機への流れが可能になっている。加えて、この構成では、
出口１０６から逆流導管７７９を通って入口チャンバに向かう流れが、冷却機能を果たす
ことになる。
【００６８】
図１２は、呼吸治療装置がＯＮ状態にあり、かつ制御装置６６４が、（例えば、ピーク
流れ閾値の検出によって）、患者呼気の開始を検出したときのガス入口制御装置１０２の
設定を示すブロック図である。制御装置６６４は、流れ制御弁７７２および流れ制御弁１
１８の両方を作動させている。この状態では、制御装置は、送風機の駆動を停止させると
よい。シール作動チャンバ１１６は、流れ制御弁７７２および流れ制御弁１１８の両方を
通る流路の結果として、入口チャンバ１１０の前部１１０Ａの周囲圧状態を有している。
従って、ガス入口制御装置１０２は、閉鎖されている。入口流れシールの閉鎖および入口
流れの停止は、停止した送風機のインペラの自然慣性力をブレーキ作動時におけるように
小さくする傾向にある。
【００６９】
図１３は、呼吸治療装置がＯＮ状態にあり、かつ制御装置６６４が呼気を検出したとき
のガス入口制御装置１０２の設定を示すブロック図である。フローバイ（flow-by）制御
が行なわれるとよい。フローバイ制御は、患者インターフェイスにおける漏れ（例えば、
１−２リットル）を補償するために、呼気中に、入口を通して極めて低レベルの流れをも
たらすシールの制御である。制御装置６６４は、流れ制御弁７７２、流れ制御弁１１８の
いずれも作動させていない。この状態では、制御装置は、流れ制御ループの流れ設定値に
基づいて低レベルの流れを生じさせるために、送風機を最小限度駆動させるとよい。シー
ル作動チャンバ１１６は、流れ制御弁１１８を通る流路の結果として、入口チャンバ１１
０の後部１１０Ｐからの負圧状態を有している。従って、ガス入口制御装置１０２は、部
分的に開いている。入口流れシールの部分的な開口によって、低流量の呼吸可能ガスが、
送風機を通って出口１０６に流れることになる。
【００７０】
図１４は、呼吸治療装置がＯＮ状態にあり、かつ制御装置６６４が吸気停止または停滞
を検出したときのガス入口制御装置１０２の設定を示すブロック図である。これは、自動
化呼気終端陽圧（ＰＥＥＰ）測定モードに対して行われてもよい。制御装置６６４は、流
れ制御弁７７２を作動させているが、流れ制御弁１１８を作動させていない。この状態で
は、送風機は、最小速度で駆動されている。患者流れが存在しないので、ガス入口制御装
置１０２は、閉鎖されている。さらに、逆流導管７７９も、流れ制御弁７７２の設定の結
果として、閉鎖している。従って、患者インターフェイスまたはマスクからの呼吸治療装
置内への逆流は、阻止されることになる。
【００７１】
図１５は、呼吸治療装置がＯＮ状態にあり、かつ患者インターフェイスまたはマスクの
通気に関連する呼気弁が塞がれて呼気中の患者の吐出が妨げられていることを制御装置６
６４が検出したときの故障モードに対するガス入口制御装置１０２の設定を示すブロック
図である。この状態を検出したとき、制御装置６６４は、流れ制御弁７７２および流れ制
御弁１１８の両方を作動させるようになっている。この状態では、シール作動チャンバ１
１６と入口チャンバ１１０の前部１１０Ａとの間の圧力の均等化が可能になる。送風機は
、最小速度で駆動されている。次いで、患者の呼気流は、入口チャンバ１１０の後部１１
０Ｐ内に生じた陽圧の結果として入口流れシール１１４を強制的に開くのに十分である。
従って、ガス入口制御装置１０２は、開放される。従って、患者インターフェイスまたは
マスクからの呼吸治療装置内への逆流が可能になる。
【００７２】
いくつかの実施形態では、酸素の供給分が空気供給分と混合され、出口において混合呼
吸可能ガスを形成するようになっていてもよい。酸素は、送風機の下流または上流のいず
れかにおける流路に注入されるとよい。例えば、いくつかの実施形態では、図７−１５の
酸素供給若しくは酸素入口ポート７８０によって示されているように、酸素は、出口１０
６における流路に供給または注入されるとよい。例えば、酸素を注入するのに、大流量弁
が用いられるとよい。送風機および弁の後方から酸素を注入することによって、酸素がシ
ステムを通って大気に漏出するのを阻止する助けとなる。これによって、酸素の浪費も軽
減される。さらに、送風機の後方から酸素を注入することによって、可燃性酸素への送風
機およびモータの露出が阻止または制限され、装置がより安全になる。装置の代替的態様
では、酸素は、入口１０８または入口チャンバ１１０内に導入または注入されてもよい。
これは、任意選択的に、前部１１０Ａまたは後部１１０Ｐのいずれかに注入されてもよい
。従って、周囲空気と酸素との混合物は、送風機内に流れ、出口１０６において送風機に
よって加圧されることになる。これは、入口１１０の壁内にガス入口ポートを設けること
によって、行われるとよい。この選択枝は、代替的な酸素供給（または酸素入口）ポート
７８０Ａとして図７−１５に示されている。従って、酸素は、ガス入口ポートにおいて、
弁によって調整されるとよい。例えば、この弁は、周囲空気とともに低流量の酸素を調整
するようになっているとよい。本装置は、出口の近くに酸素ポート７８０を備えていても
よく、あるいは入口の近くに酸素ポート７８０Ａを備えていてもよく、またはいずれの酸
素ポートを用いるかを選択できるように、両方の酸素ポート７８０，７８０Ａを備えてい
てもよい。しかし、一般的には、使用時に、酸素ポート７８０または７８０Ａの１つのみ
が用いられるようになっている。
【００７３】
前述の説明および添付の図面では、本技術の完全な理解をもたらすために、特定の専門
用語、方程式、および図面記号が用いられている。いくつかの例では、専門用語および記
号が、本技術を実施するのに必要でない特定の細部を示唆している場合もある。さらに、
本明細書において、本技術を特定の実施形態を参照して説明してきたが、これらの実施形
態は、本技術の原理および応用の単なる例示にすぎないことを理解されたい。従って、例
示的な実施形態に対して多くの修正がなされてもよいこと、および本技術の精神および範
囲から逸脱することなく、他の構成が考案されてもよいことを理解されたい。
【００７４】
例えば、本明細書において検討した柔軟シールによって得られる可変開口の代替例とし
て、他の構成部品が、可変開口として用いられてもよいし、またシステムから放出される
騒音レベルを低下させるために用いられてもよい。これに関連して、本技術のいくつかの
実施形態は、入口における開口の大きさを変化させるために、電気制御システムまたは電
磁気制御システムを用いてもよい。このような制御システム（例えば、信号をもたらすた
めに一緒に連結されたプロセッサ、センサー、および電磁弁）は、流れを測定し、該流れ
を必要な吸気流れとリンクさせ、または関連付け、これによって、種々の大きさの弁の開
／閉の大きさを設定するための信号を制御することになる。従って、このような実施形態
では、送風機に供給される入口ガスは、弁を通過することになるが、このガスが通過する
弁の開口部は、機械的に設定／制御される種々の大きさを有することになる。任意選択的
に、このような代替的な可変入口制御システムの弁は、ソレノイド弁、または可変開口を
形成するために移動可能な機械的に制御されるディスクまたは機械的に制御されるプラン
ジャーとして、実施されてもよい。有利には、このような実施形態では、弁の開閉は、呼
気中に、制御され、すなわち、その開閉の程度が決められるようになっているとよく、こ
れによって、呼吸波形の形状をさらに正確に制御する比例制御逆止弁をもたらことができ
る。例えば、弁の制御装置によって呼気の状態を検出したとき、弁の開口の大きさは、検
出された呼気流に応じて設定されるとよい。しかし、このようなシステムは、前述した柔
軟シールの態様と比較して、より高価であり、呼吸治療装置内により大きな空間を占める
可能性がある。
【図１】
2019130322.tif 000003
【図１−Ａ】
2019130322.tif 000004
【図２】
2019130322.tif 000005
【図３】
2019130322.tif 000006
【図３−Ａ】
2019130322.tif 000007
【図３−Ｂ】
2019130322.tif 000008
【図４】
2019130322.tif 000009
【図５】
2019130322.tif 000010
【図５−Ａ】
2019130322.tif 000011
【図６】
2019130322.tif 000012
【図７】
2019130322.tif 000013
【図８】
2019130322.tif 000014
【図９】
2019130322.tif 000015
【図１０】
2019130322.tif 000016
【図１１】
2019130322.tif 000017
【図１２】
2019130322.tif 000018
【図１３】
2019130322.tif 000019
【図１４】
2019130322.tif 000020
【図１５】
2019130322.tif 000021
【手続補正書】
【提出日】平成31年3月12日(2019.3.12)
【手続補正１】
【補正対象書類名】特許請求の範囲
【補正対象項目名】全文
【補正方法】変更
【補正の内容】
【特許請求の範囲】
【請求項１】
連続的な呼吸サイクルにおいて呼吸可能ガスを患者に供給するように構成された呼吸治療装置であって、各呼吸サイクルは呼気相と吸気相とを含み、
閉状態と完全開状態との間で調整可能な可変開口部を有するガス入口と、
前記可変開口部に隣接するシール作動チャンバと、
ガス出口と、
加圧された呼吸可能ガスの前記ガス入口から前記ガス出口への供給をもたらす流れ発生器と、
前記流れ発生器によって生じる圧力レベルを制御する制御装置と
を含んでなり、
前記呼気相の間に、前記制御装置は、前記シール作動チャンバの圧力条件を設定して前記ガス入口の前記可変開口部を閉鎖して入口流れを停止することによって、前記流れ発生器のインペラの慣性力を小さくし、該インペラを停止することを特徴とする呼吸治療装置。
【請求項２】
前記シール作動チャンバに接続した流れ制御弁をさらに含み、患者の呼気の開始を検出すると、前記制御装置は、前記流れ制御弁を作動させることによって、前記シール作動チャンバの前記圧力条件を設定することを特徴とする請求項１に記載の呼吸治療装置。
【請求項３】
前記可変開口部は柔軟シールを備えていることを特徴とする請求項２に記載の呼吸治療装置。
【請求項４】
前記流れ制御弁は電気機械弁であることを特徴とする請求項２に記載の呼吸治療装置。
【請求項５】
前記流れ発生器への前記入口流れの遮断は、吸気圧から呼気圧への圧力の低下を容易にすることを特徴とする請求項１〜４のいずれか１項に記載の呼吸治療装置。
【請求項６】
各呼吸サイクルの前記吸気相の間に、前記可変開口部は、前記ガス入口に隣接して供給される呼吸可能ガスの誘引される流れのレベルに応じて、開口の大きさを比例的に変化するように構成されており、前記誘引される流れのレベルは前記患者によって発生されたものであることを特徴とする請求項１〜５のいずれか１項に記載の呼吸治療装置。
【請求項７】
前記呼気相の間に、前記制御装置は、前記流れ発生器の送風機を無負荷にすることを特徴とする請求項１〜５のいずれか１項に記載の呼吸治療装置。
【請求項８】
連続的な呼吸サイクルにおいて呼吸可能ガスを患者に供給するように構成された呼吸治療装置であって、各呼吸サイクルは呼気相と吸気相とを含み、
閉状態と完全開状態との間で調整可能な可変開口部を有するガス入口と、
ガス出口と、
加圧された呼吸可能ガスの前記ガス入口から前記ガス出口への供給をもたらす流れ発生器と、
前記流れ発生器によって生じる圧力レベルを制御する制御装置と
を含んでなり、
前記制御装置は、フローバイ制御を用いて構成されており、前記可変開口部のシールは、前期ガス入口を通過する流れのレベルを許容して、患者インターフェイスにおける漏れを呼気中に補償するように制御されていることを特徴とする呼吸治療装置。
【請求項９】
前記制御装置は、流れ制御ループの流れ設定値に基づいて低レベルの流れを生じさせるために前記流れ発生器に呼気中に電力を供給するように構成することを特徴とする、請求項８に記載の呼吸治療装置。
【請求項１０】
連続的な呼吸サイクルにおいて呼吸可能ガスを患者に供給するように構成された呼吸治療装置であって、各呼吸サイクルは呼気相と吸気相とを含み、
閉状態と完全開状態との間で調整可能な可変開口部を有するガス入口と、
ガス出口と、
加圧された呼吸可能ガスの前記ガス入口から前記ガス出口への供給をもたらす流れ発生器と、
前記流れ発生器によって生じる圧力レベルを制御する制御装置と
を含んでなり、
前記制御装置は、吸気停止又は停滞を検出すると、患者インターフェイスから前記呼吸治療装置への負圧を阻止するように、前記可変開口部を制御するように構成されていることを特徴とする呼吸治療装置。
【請求項１１】
前記制御装置は、複数の流れ制御弁のある流れ制御弁を設定することによって、前記可変開口部を制御することを特徴とする請求項１０に記載の呼吸治療装置。
【請求項１２】
前記流れ制御弁を設定することは、前記流れ発生器の出口と前記流れ制御弁のポートとの間を接続する逆流導管を閉鎖することを特徴とする請求項１１に記載の呼吸治療装置。
【請求項１３】
前記制御装置は、呼吸停止又は停滞を検出すると、前記流れ発生器を最小速度に設定するように制御することを特徴とする請求項１０〜１２のいずれか１項に記載の呼吸治療装置。
【請求項１４】
連続的な呼吸サイクルにおいて呼吸可能ガスを患者に供給するように構成された呼吸治療装置であって、各呼吸サイクルは呼気相と吸気相とを含み、
閉状態と完全開状態との間で調整可能な可変開口部を有するガス入口と、
ガス出口と、
加圧された呼吸可能ガスの前記ガス入口から前記ガス出口への供給をもたらす流れ発生器と、
前記流れ発生器によって生じる圧力レベルを制御する制御装置と
を含んでなり、
前記制御装置は、呼気中に患者の呼気を阻止する、患者インターフェイスの通気に関連する呼気弁の閉鎖を検出するように構成されており、該閉鎖を検出すると、前記可変開口部を制御し、前記患者インターフェイスから前記呼吸治療装置への逆流を許容することを特徴とする呼吸治療装置。
【請求項１５】
前記制御装置は、いくつかの流れ制御弁を設定することによって、シール作動チャンバの圧力と入口チャンバの一部の圧力とが等しくなるように前記可変開口部を制御することを特徴とする請求項１４に記載の呼吸治療装置。
【請求項１６】
前記いくつかの流れ制御弁を設定することは、患者呼気流れによって前記可変開口部を開放することを許容するものである請求項１５に記載の呼吸治療装置。
【請求項１７】
前記制御装置は、前記閉鎖を検出すると、最小速度に設定するように前記流れ発生器を制御することを特徴とする請求項１４〜１６のいずれか１項に記載の呼吸治療装置。
【手続補正２】
【補正対象書類名】明細書
【補正対象項目名】００７４
【補正方法】変更
【補正の内容】
【００７４】
例えば、本明細書において検討した柔軟シールによって得られる可変開口の代替例として、他の構成部品が、可変開口として用いられてもよいし、またシステムから放出される騒音レベルを低下させるために用いられてもよい。これに関連して、本技術のいくつかの実施形態は、入口における開口の大きさを変化させるために、電気制御システムまたは電磁気制御システムを用いてもよい。このような制御システム（例えば、信号をもたらすために一緒に連結されたプロセッサ、センサー、および電磁弁）は、流れを測定し、該流れを必要な吸気流れとリンクさせ、または関連付け、これによって、種々の大きさの弁の開／閉の大きさを設定するための信号を制御することになる。従って、このような実施形態では、送風機に供給される入口ガスは、弁を通過することになるが、このガスが通過する弁の開口部は、機械的に設定／制御される種々の大きさを有することになる。任意選択的に、このような代替的な可変入口制御システムの弁は、ソレノイド弁、または可変開口を形成するために移動可能な機械的に制御されるディスクまたは機械的に制御されるプランジャーとして、実施されてもよい。有利には、このような実施形態では、弁の開閉は、呼気中に、制御され、すなわち、その開閉の程度が決められるようになっているとよく、これによって、呼吸波形の形状をさらに正確に制御する比例制御逆止弁をもたらことができる。例えば、弁の制御装置によって呼気の状態を検出したとき、弁の開口の大きさは、検出された呼気流に応じて設定されるとよい。しかし、このようなシステムは、前述した柔軟シールの態様と比較して、より高価であり、呼吸治療装置内により大きな空間を占める可能性がある。
以下に、新たな出願（分割出願）を行う際の便宜のために、本願の出願当初の請求項１〜５２の内容を記載する。
（請求項１）
呼吸可能ガスの流れを患者にもたらすべく構成された呼吸治療装置において、
閉状態と完全開状態との間で調整可能な可変開口部を有するガス入口と、
ガス出口と、
加圧された呼吸可能ガスの前記ガス入口から前記ガス出口への供給をもたらす流れ発生器と、
前記流れ発生器によって生じる圧力のレベルを制御する制御装置と
を備えており、
前記可変開口部は、前記ガス出口に隣接する箇所にもたらされる呼吸可能ガスの流れのレベルに応じて、開口の大きさを変化させるようになっていることを特徴とする呼吸治療装置。
（請求項２）
前記可変開口部は、柔軟シールを備えていることを特徴とする請求項１に記載の装置。
（請求項３）
前記可変開口部は、流れ値のある範囲にわたって比例的に開くよう構成されており、  前記流れの範囲は、第１の流れ値と第２の流れ値との間にあることを特徴とする請求項２に記載の装置。
（請求項４）
前記第１の流れ値は、毎分略０リットルであり、前記第２の流れ値は、毎分略７０リットルであることを特徴とする請求項３に記載の装置。
（請求項５）
前記可変開口部は、前記流れの範囲を超える流れ値に対して、開口の大きさが固定されるよう構成されていることを特徴とする請求項３に記載の装置。
（請求項６）
前記可変開口部は、前記流れの範囲の前記第１の流れ値で閉じるよう構成されていることを特徴とする請求項５に記載の装置。
（請求項７）
前記可変開口部は、シール作動チャンバをさらに備えていることを特徴とする請求項２に記載の装置。
（請求項８）
前記シール作動チャンバの圧力は、少なくとも１つの電気機械弁の制御によって設定されるようになっていることを特徴とする請求項７に記載の装置。
（請求項９）
前記制御装置は、呼吸可能ガスの流れのレベルの測定に応じて、前記少なくとも１つの電気機械弁を設定するよう構成されていることを特徴とする請求項８に記載の装置。
（請求項１０）
前記開口部は電気機械弁を備えていることを特徴とする請求項１に記載の装置。
（請求項１１）
前記制御装置は、呼吸可能ガスの流れのレベルの測定に応じて、前記電気機械弁の開口の大きさを設定するよう構成されていることを特徴とする請求項１０に記載の装置。
（請求項１２）
連続的な呼吸サイクルにおいて加圧された呼吸可能ガスの供給を患者にもたらすべく構成された呼吸治療装置であって、各サイクルは吸気相および呼気相を含んでいる呼吸治療装置において、
ガス入口と、
ガス出口と、
前記ガス入口からの呼吸可能ガスの入口流れを受け、前記ガス出口に送達する前に前記呼吸可能ガスを加圧する流れ発生器と、
吸気圧および呼気圧をもたらすために、前記流れ発生器によって生じた圧力のレベルを制御する制御装置と
を備えており、
前記吸気圧から前記呼気圧への圧力の低下を容易にするために、前記呼気相の少なくとも一部において、前記流れ発生器への前記入口流れが遮断されるようになっていることを特徴とする呼吸治療装置。
（請求項１３）
前記入口流れの遮断によって、前記流れ発生器の送風機が無負荷となることを特徴とする請求項１２に記載の装置。
（請求項１４）
前記制御装置は、１つまたは複数の電気機械弁を設定することによって、前記入口流れを遮断するように構成されていることを特徴とする請求項１２に記載の装置。
（請求項１５）
前記入口の流路内の柔軟シールと、前記柔軟シールに近接するシール作動チャンバをさらに備え、前記電気機械弁の前記設定によって、前記シール作動チャンバの圧力レベルが制御されるようになっていることを特徴とする請求項１４に記載の装置。
（請求項１６）
呼吸治療装置用流れ発生器であって、
モータと、
前記モータに連結されたインペラと、
ボリュート、ガス入口、およびガス出口を備える前記インペラ用ハウジングであって、前記ガス出口は、呼吸可能ガスを呼吸治療として送達するために、患者インターフェイスの導管となっているハウジングと、
前記ガス入口を選択的に開閉するために配置された入口流れシールであって、前記ガス入口の入口チャンバに内側から近接する第１の側と、前記ガス入口の前記入口チャンバに外側から近接する第２の側とを有している入口流れシールと、
前記入口流れシールの前記第２の側に近接して構成されたシール作動チャンバであって、前記シール作動チャンバ内の負圧により前記ガス入口を呼吸可能ガスの流れに対して開放することができるシール作動チャンバと
を備えていることを特徴とする流れ発生器。
（請求項１７）
前記ハウジングは、
第１および第２のポートと、
前記入口チャンバと前記シール作動チャンバを圧力伝達するように接続する圧力伝達導管とをさらに備えており、
これによって、前記入口チャンバ内の圧力変化が、前記シール作動チャンバ内の圧力を変化させるようになっていることを特徴とする請求項１６に記載の流れ発生器。
（請求項１８）
前記圧力伝達導管に連結された第１の流れ制御弁をさらに備えており、前記第１の流れ制御弁は、前記シール作動チャンバを大気圧に対して選択的に開閉するように構成されていることを特徴とする請求項１７に記載の流れ発生器。
（請求項１９）
前記圧力変化は、前記ガス入口から前記ガス出口に向かう、患者によって誘引された呼吸可能ガスに関連する減圧である、ことを特徴とする請求項１８に記載の流れ発生器。
（請求項２０）
前記第１の流れ制御弁が前記シール作動チャンバを大気圧に対して開放するように設定されたとき、前記シール作動チャンバ内の減圧は中断されるようになっており、前記減圧の中断によって、前記ガス入口の呼吸可能ガスの流れに対する閉鎖が可能になることを特徴とする請求項１９に記載の流れ発生器。
（請求項２１）
前記第１の流れ制御弁が前記シール作動チャンバと前記ガス入口チャンバとの間の均等化を可能にするように設定されたとき、前記ガス出口から前記ガス入口への逆流は、前記入口チャンバ内および前記シール作動チャンバ内の圧力を増大させ、前記増圧によって、前記ガス入口の閉鎖が可能になり、これによって、前記逆流が停止されるようになっていることを特徴とする請求項１８に記載の流れ発生器。
（請求項２２）
前記入口流れシールは柔軟薄膜を備えることを特徴とする請求項１８に記載の流れ発生器。
（請求項２３）
前記ガス入口は、前記入口流れシールによって封止可能な開口部を備えており、前記入口流れシールの表面積は、前記開口部の開口面積よりも大きくなっていることを特徴とする請求項２２に記載の流れ発生器。
（請求項２４）
前記第１の流れ制御弁に連結された第２の流れ制御弁をさらに備えており、前記第２の流れ制御弁は、前記ガス入口を前記ガス出口の圧力に対して選択的に開閉するように構成されていることを特徴とする請求項１８に記載の流れ発生器。
（請求項２５）
前記第１および第２の流れ制御弁は、前記シール作動チャンバが前記ガス入口チャンバの圧力と周囲圧との均等化を中断するべく、前記シール作動チャンバ内の圧力レベルを選択的に封止するように構成されていることを特徴とする請求項２４に記載の流れ発生器。
（請求項２６）
前記第２の流れ制御弁は、前記ガス入口の周囲圧と均等化するために前記第１の流れ制御弁を選択的に開閉するように構成されており、前記第１の流れ制御弁は、前記シール作動チャンバを前記第１の流れ制御弁に対して選択的に開閉するように構成されていることを特徴とする請求項２５に記載の流れ発生器。
（請求項２７）
吸気流れが前記ガス入口を開くことを可能にするべく、前記シール作動チャンバの圧力と前記ガス入口チャンバの圧力との均等化を可能にするために、吸気の状態の検出に応じて前記第１の流れ制御弁を設定するように構成された制御装置をさらに備えていることを特徴とする請求項２５に記載の流れ発生器。
（請求項２８）
前記制御装置は、前記ガス入口を呼吸可能ガスの流れに対して閉鎖するために前記シール作動チャンバ内の減圧を中断するように、呼気の状態の検出に応じて前記第１の流れ制御弁を設定するように構成されていることを特徴とする請求項２７に記載の流れ発生器。
（請求項２９）
呼吸可能ガスの逆流を可能にするべく、前記シール作動チャンバ内の圧力を封止し、前記ガス入口の開状態をロックするために、吸気の状態の検出に応じて前記第１の流れ制御弁および前記第２の流れ制御弁を設定するように構成された制御装置をさらに備えている、ことを特徴とする請求項２８に記載の流れ発生器。
（請求項３０）
前記入口への酸素ガスの注入を可能にするために、前記入口に連結された酸素入口ポートをさらに備えていることを特徴とする請求項１８に記載の流れ発生器。
（請求項３１）
呼吸可能ガスの流れへの酸素ガスの注入を可能にするために、前記ガス出口に連結された酸素投入ポートをさらに備えていることを特徴とする請求項１６に記載の流れ発生器。
（請求項３２）
圧力治療措置用の大気圧を超える圧力の呼吸可能ガスを生成する流れ発生器であって、前記流れ発生器は、ガス入口およびガス出口を備えており、前記ガス出口は、前記呼吸可能ガスを送達するために患者インターフェイスの導管である流れ発生器と、
圧力治療措置に従って前記呼吸可能ガスを生成するために前記流れ発生器を制御する制御装置と、
前記ガス入口を選択的に開閉するために配置された入口流れシールであって、前記ガス入口の入口チャンバに内側から近接する第１の側、および前記ガス入口の前記入口チャンバに外側から近接する第２の側を有している入口流れシールと、
前記入口流れシールの前記第２の側に近接するシール作動チャンバであって、前記シール作動チャンバ内の負圧が、呼吸可能ガスの流れに対する前記ガス入口の開口を可能にするようになっているシール作動チャンバと
を備えていることを特徴とする呼吸治療装置。
（請求項３３）
前記入口チャンバおよび前記シール作動チャンバを圧力伝達するように接続する圧力伝達導管をさらに備えており、これによって、前記入口チャンバ内の圧力変化が、前記シール作動チャンバ内の圧力を変化させるようになっていることを特徴とする請求項３２に記載の流れ発生器。
（請求項３４）
前記圧力伝達導管に連結されていると共に、前記制御装置の制御によって前記シール作動チャンバを大気圧に対して選択的に開閉するように構成されている第１の流れ制御弁をさらに備えていることを特徴とする請求項３３に記載の装置。
（請求項３５）
前記流れ発生器は、モータ、ボリュート、および前記ガス入口と前記ガス出口との間に構成されたインペラを備えていることを特徴とする請求項３４に記載の装置。
（請求項３６）
前記第１の流れ制御弁が前記シール作動チャンバを大気圧に対して開放するように設定されたとき、前記シール作動チャンバ内の負圧が中断されるようになっており、前記中断された負圧は、呼吸可能ガスの流れに対する前記ガス入口の閉鎖を可能にするようになっていることを特徴とする請求項３５に記載の装置。
（請求項３７）
前記第１の流れ制御弁が前記シール作動チャンバと前記ガス入口チャンバとの間の均等化を可能にするように設定されたとき、前記ガス出口から前記ガス入口への逆流は、前記入口チャンバ内および前記シール作動チャンバ内の圧力を増大させ、前記増圧により前記ガス入口の閉鎖が可能になり、これによって前記逆流が停止されるようになっていることを特徴とする請求項３３に記載の装置。
（請求項３８）
前記入口流れシールは柔軟な薄膜を備えていることを特徴とする請求項３６に記載の装置。
（請求項３９）
前記ガス入口は、前記入口流れシールによって封止可能な開口部を備えており、前記入口流れシールの表面積は、前記開口部の開口面積よりも大きくなっていることを特徴とする請求項３８に記載の装置。
（請求項４０）
前記第１の流れ制御弁に連結されていると共に、前記ガス入口を前記ガス出口の圧力に対して選択的に開閉するように構成されている第２の流れ制御弁をさらに備えていることを特徴とする請求項３４に記載の装置。
（請求項４１）
前記第１および第２の制御弁は、前記シール作動チャンバが前記ガス入口チャンバの圧力と周囲圧との均等化を中断するべく前記シール作動チャンバ内の圧力レベルを選択的に封止するように構成されており、前記封止された圧力レベルによって、前記入口流れシールが開位置にロックされるようになっていることを特徴とする請求項４０に記載の装置。
（請求項４２）
前記第２の流れ制御弁は、前記ガス入口の周囲圧と均等化するように前記第１の流れ制御弁を選択的に開閉するように構成されており、前記第１の制御弁は、前記シール作動チャンバを前記第１の流れ制御弁に対して選択的に開閉するように構成されていることを特徴とする請求項４１に記載の装置。
（請求項４３）
前記制御装置は、前記ガス入口を呼吸可能なガスの流れに開放するために前記シール作動チャンバ内の減圧を可能にするべく、吸気の状態の検出に応じて前記第１の流れ制御弁を設定するように、さらに構成されていることを特徴とする請求項３４に記載の装置。
（請求項４４）
前記制御装置は、前記ガス入口を呼吸可能ガスの流れに対して閉鎖するために前記シール作動チャンバ内の減圧を中断するべく、呼気の状態の検出に応じて前記第１の流れ制御弁を設定するように構成されていることを特徴とする請求項４３に記載の装置。
（請求項４５）
前記入口内への酸素の注入を可能にするために、前記入口に連結された酸素投入ポートをさらに備えていることを特徴とする請求項３２に記載の装置。
（請求項４６）
呼吸可能ガスの流れ内への酸素ガスの注入を可能にするために、前記ガス出口に連結された酸素投入ポートをさらに備えていることを特徴とする請求項３２に記載の装置。
（請求項４７）
呼吸治療装置内の流れ発生器への流れを調整するためのシステムであって、
流れ発生器に繋がるガス入口であって、該流れ発生器を通って、呼吸可能ガスの流れが吸入されるようになっているガス入口と、
前記ガス入口における前記流れをシールする手段であって、前記ガス入口の入口チャンバに内側から近接する第１の側および前記ガス入口の前記入口チャンバに外側から近接する第２の側を備えている流れをシールする手段と、
前記シール手段の前記第２の側に近接するチャンバ手段であって、前記チャンバ手段内の負圧によって、前記シール手段における前記ガス入口の開口が可能になっているチャンバ手段と、
前記ガス入口内の圧力変化に従って前記チャンバ手段に対する圧力を変化させるための手段と、
前記ガス入口内の圧力変化を可能にすると共に、前記チャンバ手段内の圧力変化を選択的に中断させるための手段と、
を備えている、ことを特徴とするシステム。
（請求項４８）
前記ガス入口内への酸素ガスの注入を可能にするために、前記入口に連結された酸素投入ポートをさらに備えていることを特徴とする請求項４７に記載のシステム。
（請求項４９）
呼吸可能ガスの流れへの酸素ガスの注入を可能にするために、前記ガス出口に連結された酸素投入ポートをさらに備えていることを特徴とする請求項４７に記載のシステム。
（請求項５０）
前記チャンバ手段と前記第１の側における前記ガス入口との間の均等化された圧力状態に従って、逆流が阻止されるようになっていることを特徴とする請求項４７に記載のシステム。
（請求項５１）
前記チャンバ手段と周囲圧との間の均等化された圧力状態に従って、前方流れが阻止されるようになっていることを特徴とする請求項４７に記載のシステム。
（請求項５２）
前記流れをシールする手段を開状態でロックする前記チャンバ手段のシールされた圧力状態に従って逆流が可能になっていることを特徴とする請求項４７に記載のシステム。